(57)【要約】【課題】湯沸器の再使用の停止を安全に行うことが可能な湯沸器を提供する。【解決手段】湯沸器の制御基板６２に設けられたソレノイド弁駆動回路９１は、電池７６とソレノイド弁９２のコイル４７との導通状態を制御可能なトランジスタ９３を備えている。ＣＰＵ７１が熱電対の起電力を検知し、不完全燃焼が生じている可能性があると判断した場合、トランジスタ９３のベース信号を制御してコイル４７に通電させ、プランジャ４６を駆動させてガス流路を閉塞することにより、湯沸器の再使用を禁止するインターロック状態とする。一旦閉塞状態となると、ＣＰＵ７１によりプランジャ４６を駆動して開放状態とすることは不可能であるため、不用意なインターロック解除操作を防止することが可能となる。【選択図】図３
2009150571.tif 000002
【特許請求の範囲】
【請求項１】
ガスバーナの燃焼排気熱を利用して伝熱管の通水を加熱する熱交換器と、
前記ガスバーナへ燃料を流通するガス流路と、
前記ガスバーナへの燃料供給を制御する電磁弁と、
前記ガスバーナの燃焼状態を監視する監視手段と、
前記ガス流路を閉塞し、前記ガスバーナへの燃料供給を停止するプランジャを備えたソレノイド弁と、
前記ガス流路を閉塞する方向に前記プランジャを駆動させるために、当該ソレノイド弁が備えるコイルに直流電流を供給する電流供給手段と、
前記監視手段による監視結果に基づき、前記電流供給手段と前記コイルとの間の電路を導通させて前記コイルに直流電流を供給し、前記プランジャを駆動させて前記ガス流路を閉塞状態とする電流制御手段と、
前記電流制御手段により、前記プランジャが前記ガス流路を閉塞する状態に駆動された後、前記電流供給手段と前記コイルとの間の電路が非導通となり、前記コイルへの電流供給が停止された状態において、
前記ガス流路を開放する方向に前記プランジャを駆動して開放する解除手段を備えたことを特徴とする湯沸器。
【発明の詳細な説明】
【技術分野】
【０００１】
本発明は、湯沸器に関し、詳細には、ガスバーナの燃焼状態の異常を検出し、器具の使用を停止するインターロックを確実且つ安全に行うことができるとともに、この状態を解除することができる湯沸器に関する。
【背景技術】
【０００２】
従来、湯沸器においては、室内の換気が不十分な場合や熱交換器のフィンの間隔が燃焼生成物の付着により閉塞を起こした場合には、燃焼用空気を取り込み難くなり、不完全燃焼に繋がるおそれがある。このような不完全燃焼での運転状態を検知してガスの供給を遮断する不完全燃焼防止装置を備えているものが知られている。また、このような不完全燃焼に繋がる原因を放置したまま使用が繰り返されないよう、燃焼停止とともに器具の再使用を禁止するインターロック手段を備えたものが提案されている（例えば、特許文献１参照）。インターロック状態においては、燃料供給制御用の電磁弁を駆動してガス流路を閉塞し、燃料への着火装置（イグナイタ）がスパークしないように制御することによって、器具の再利用を禁止している。
【特許文献１】特開平１１−３１１４１２号公報
【発明の開示】
【発明が解決しようとする課題】
【０００３】
しかしながら、電磁弁は、通常、外部操作ボタンを押下することにより機械的に開弁するような構成となっている。従って、インターロック状態であっても、操作ボタンが継続して押下された状態となっている場合には、電磁弁は開弁状態となりガス流路は開放状態となるため、たとえイグナイタがスパークしないように制御されていても、ガスが湯沸器内に供給されてしまうという問題点があった。
【０００４】
加えて、従来の湯沸器においては、電源となる乾電池の抜き差しにより制御ＣＰＵがリセットしてインターロックが解除されてしまうという問題点もあった。
【０００５】
本発明は上記課題を解決するためになされたものであり、湯沸器の使用を停止するインターロックを安全に行うことが可能であるとともに、乾電池の一時的な取り外しが行われた場合でもインターロックを確実に継続実行することが可能な湯沸器を提供することを目的とする。
【課題を解決するための手段】
【０００６】
上記課題を解決するために、請求項１に係る発明の湯沸器は、ガスバーナの燃焼排気熱を利用して伝熱管の通水を加熱する熱交換器と、前記ガスバーナへ燃料を流通するガス流路と、前記ガスバーナへの燃料供給を制御する電磁弁と、前記ガスバーナの燃焼状態を監視する監視手段と、前記ガス流路を閉塞し、前記ガスバーナへの燃料供給を停止するプランジャを備えたソレノイド弁と、前記ガス流路を閉塞する方向に前記プランジャを駆動させるために、当該ソレノイド弁が備えるコイルに直流電流を供給する電流供給手段と、前記監視手段による監視結果に基づき、前記電流供給手段と前記コイルとの間の電路を導通させて前記コイルに直流電流を供給し、前記プランジャを駆動させて前記ガス流路を閉塞状態とする電流制御手段と、前記電流制御手段により、前記プランジャが前記ガス流路を閉塞する状態に駆動された後、前記電流供給手段と前記コイルとの間の電路が非導通となり、前記コイルへの電流供給が停止された状態において、前記ガス流路を開放する方向に前記プランジャを駆動して開放する解除手段を備えたことを特徴とする。
【発明の効果】
【０００７】
請求項１に係る発明の湯沸器では、ガス流路から供給された燃料によりガスバーナが燃焼し、この燃焼排気熱を利用して伝熱管の通水が加熱される。なお、ガスバーナへの燃料供給の制御は電磁弁により行われている。そして、ガス流路を閉塞しガスバーナへの燃料供給を停止することが可能なソレノイド弁が設けられている。また、プランジャを駆動させるための電流を供給する電流供給手段と、プランジャを駆動させてガス流路を閉塞させるために、電流供給手段とコイルとの間の電路を導通させ、コイルに電流を供給する制御を行う電流制御手段とが設けられている。そして、監視手段の監視結果に基づいて、コイルに電流が供給され、プランジャが駆動されてガス流路を閉塞した状態となった後、電流供給手段とコイルとの間の電路が非導通となり、前記コイルへの電流供給が停止された状態において、ガス流路を開放する方向にプランジャを駆動させる解除手段を備えている。すなわち、電磁弁とは別にソレノイド弁を設け、これによりガスバーナへのガス供給を停止することにより、インターロックを安全に実行することが可能となる。また、一旦閉塞状態に駆動したプランジャは、コイルへの電流供給が停止されても閉塞状態を維持し、解除手段による操作によってのみガス流路を開放できるようになっている。従って、ガス流路の閉塞状態を容易に解除されることがないため、湯沸器の安全性が向上する。
【発明を実施するための最良の形態】
【０００８】
以下、本発明の一実施形態である湯沸器１について、図面を参照して説明する。図１は、湯沸器１の概略構成図であり、図２は、制御基板６２の電気的構成を示すブロック図であり、図３は、ソレノイド弁駆動回路９１の電気的構成を示すブロック図であり、図４は、ＣＰＵ７１によるソレノイド弁の駆動制御処理のフローチャートである。
【０００９】
はじめに、図１を参照し、湯沸器１の概略構成について説明する。図１に示すように、湯沸器１は、金属製のケース状の器具（図示外）を備える。この器具内の中段よりやや上側には、ガスを燃焼させるメインバーナ１４が設けられている。このメインバーナ１４には、連続スパークによってメインバーナ１４に点火する点火電極４４が設けられ、その点火電極４４にはイグナイタ４３（図２参照）が接続されている。また点火電極４４の隣には、メインバーナ１４の炎を検知するためのフレームロッド４５が設けられている。そしてメインバーナ１４の上方には、メインバーナ１４の燃焼排気熱によって伝熱管１２ａの通水を加熱する熱交換器１２が設けられている。また器具の正面下部には操作パネル（図示外）が設けられ、その操作パネルには操作ボタン５４が設けられている。
【００１０】
また、器具には、ガスが流入するガス流路２１と、水が流入する水入口２５と、湯が流出する出湯口２８とが各々設けられている。ガス流路２１とメインバーナ１４との間にはガス管２２が接続され、水入口２５と熱交換器１２の入口との間には給水管１６が接続され、出湯口と熱交換器１２の出口との間には出湯管１８が接続されている。
【００１１】
さらに、給水管１６と水入口２５との間には給止水栓２０が設けられている。この給止水栓２０には、水栓パイロットバルブ２６が設けられている。さらに水栓パイロットバルブ２６と操作ボタン５４との間には、操作ボタン５４の操作によって動く連動レバー３０，３２が介設されている。つまり操作ボタン５４が押下されると、連動レバー３０，３２は水栓パイロットバルブ２６を開くように作用する。これにより給水管１６に水が流れるようになっている。
【００１２】
他方、ガス流路２１にはソレノイド弁９２が設けられている。このソレノイド弁９２は、コイル４７と、コイル４７に電流が流れることにより駆動しガス流路２１を閉塞させるプランジャ４６と、閉塞状態に駆動したプランジャ４６を手動にて開放状態に戻すためのプランジャ開放ツマミ４８とが各々設けられている。また、ガス管２２とガス流路２１との間には給ガス栓２４が設けられている。この給ガス栓２４には、給水管１６に水が流れると連動して開く水圧応動弁３４と、点火トラブル等を未然に防止するためのマグネット式のガス電磁弁３６と、そのガス電磁弁３６を開閉するマグネット開弁機構３７と、給ガス栓２４内の給ガス流路を操作ボタン５４の操作によって開閉するための器具栓３８とが各々設けられている。そして水栓パイロットバルブ２６と水圧応動弁３４とは、突棒４０を介して連結されている。この突棒４０には、突棒４０の移動に伴ってＯＮ−ＯＦＦ信号を出力する水圧スイッチ５０，５１が各々設けられている。さらに給ガス栓２４の下流側には、供給ガス圧の変動を調整するガスガバナ２９が設けられている。
【００１３】
また、メインバーナ１４には、メインバーナ１４の立ち消え又は酸欠を検知する一次熱電対５８が設けられている。例えば、酸欠によりメインバーナ１４の炎がリフト現象を起こしている場合、一次熱電対５８から炎が遠ざかるので、一次熱電対５８から出力される起電力は低下する。このことにより、室内が酸欠状態であることが検出できる。なお、一次熱電対５８には、センシングバーナ５３が併設されている。これにより一次熱電対５８は、センシングバーナ５３の炎により直接加熱される。
【００１４】
さらに、熱交換器１２には、フィン１２ｂの目詰まりを検知する二次熱電対６０が設けられている。二次熱電対６０は、熱交換器１２の側壁に設けられた開口（図示外）に臨む位置に配置されている。たとえば、熱交換器１２のフィン１２ｂにススや異物が詰まると、側壁の開口から燃焼排気熱が流出する。この場合、二次熱電対６０から出力される起電力は上昇する。このことにより、熱交換器１２のフィン１２ｂが詰まっていることがわかる。そして、上記構造を備えた器具内には、湯沸器１の動作を制御するための制御基板６２（図２参照）が設けられている。
【００１５】
次に、図２を参照し、制御基板６２の構成について説明する。図２に示すように、制御基板６２には、中央演算処理装置としてのＣＰＵ７１が設けられている。また、制御基板６２には、ＲＯＭ７２、ＲＡＭ７３、ＥＥＰＲＯＭ７４、発振子７５、熱電対回路７８、イグナイタ回路７９、マグネット駆動回路８０、フレームロッド回路８２、ソレノイド弁駆動回路９１が夫々設けられており、ＣＰＵ７１に接続されている。これらのうちＲＯＭ７２は、各種制御プログラム、各種データの初期値等を記憶する不揮発性記憶素子であり、ＲＡＭ７３は、ＣＰＵ７１の演算処理中に発生するデータ等を一時的に記憶する揮発性記憶素子である。またＥＥＰＲＯＭ７４は、カウンタやパラメータ等を記憶する不揮発性記憶素子である。また発振子７５は、ＣＰＵ７１に対してクロックを供給している。また熱電対回路７８には、器具に設けられた一次熱電対５８及び二次熱電対６０（以下、一次熱電対５８と二次熱電対６０とを総称し「熱電対７０」という。）が接続されている。そして、ＣＰＵ７１による熱電対７０の起電力の検出が可能となっている。またイグナイタ回路７９には、器具に設けられたイグナイタ４３が接続されている。そして、ＣＰＵ７１によるイグナイタ４３のスパーク制御が可能となっている。またマグネット駆動回路８０には、器具に設けられたガス電磁弁３６が接続されている。そして、ＣＰＵ７１によるガス電磁弁３６のマグネット保持電流の制御が可能となっている。またフレームロッド回路８２には、器具に設けられたフレームロッド４５が接続されている。そして、ＣＰＵ７１がフレームロッド４５の出力信号を検知可能な状態となっている。またソレノイド弁駆動回路９１には、本実施の形態の要部であるソレノイド弁９２が接続されている。そして、ＣＰＵ７１がソレノイド弁９２を駆動できるようになっている。またＣＰＵ７１には、器具に設けられた水圧スイッチ５０、５１が接続されており、これらのスイッチのＯＮ−ＯＦＦ状態を検知することが可能な状態となっている。またＣＰＵ７１には、器具に設けられたＬＥＤ７７が接続されており、使用者に対してメンテナンスの必要性を報知することが可能な状態となっている。さらに、器具に設けられている電池７６が上記回路等を駆動するために制御基板６２に接続されている。
【００１６】
次に、図３を参照し、ソレノイド弁駆動回路９１の電気的構成について説明する。図３に示すように、ソレノイド弁駆動回路９１は、スイッチング制御用のトランジスタ９３を備えている。トランジスタ９３のエミッタ端子には電池７６が接続され、コレクタ端子にはソレノイド弁９２のコイル４７が接続され、ベース端子にはＣＰＵ７１の出力端子から電圧が印加されるようになっている。
【００１７】
そして、ＣＰＵ７１がトランジスタ９３のベース端子の電位を制御することにより、エミッタ端子〜コレクタ端子間の導通状態を制御でき、プランジャ４６を駆動できるような構成となっている。すなわち、ＣＰＵ７１によるトランジスタ９３のベース端子制御により、エミッタ端子〜コレクタ端子間を非導通状態から導通状態とした場合、コイル４７に電流が通電し、プランジャ４６はガス流路２１（図１参照）を閉塞する状態に駆動する。一方、回路構成上コイル４７に導通状態とは逆向きの電流が流れないようになっているため、一旦ガス流路２１（図１参照）を閉塞状態とする状態に駆動したプランジャ４６は、その後エミッタ端子〜コレクタ端子間を導通状態から非導通状態とした場合でも、ガス流路２１を閉塞した状態に保持される。
【００１８】
次に、操作ボタン５４（図１参照）押下により出湯を開始する場合の動作について、図１を参照して説明する。ユーザによって操作ボタン５４が押下されると、連動レバー３０、３２を介して水栓パイロットバルブ２６が開かれる。すると、給水管１６に水が流れ、その水圧によって突棒４０が押されて、水圧応動弁３４が開かれる。さらに突棒４０に係止されたマグネット開弁機構３７によって、ガス電磁弁３６が開かれる。これと同時に水圧スイッチ５０がＯＮされ、マグネット保持電流が流れて励磁されることによってガス電磁弁３６が開放状態に保持される。他方、器具栓３８は操作ボタン５４が押されることによって開かれる。これによって給ガス栓２４の給ガス流路が完全に開かれ、メインバーナ１４にガスが供給される。そして突棒４０が押されると同時に水圧スイッチ５１がＯＮされる。そこでイグナイタ４３を駆動させ、点火電極４４を連続スパークさせることによってメインバーナ１４及びセンシングバーナ５３を点火する。
【００１９】
次に、図４を参照し、ＣＰＵ７１（図２参照）が実行するソレノイド弁の駆動制御処理のフローチャートについて説明する。本実施例における湯沸器１は、不完全燃焼に繋がる怖れがある状態を連続して所定回数以上検知した場合に、事故防止の為に機器の再使用を禁止した状態（以下「インターロック状態」という。）とする機能（以下「インターロック機能」という。）を有している。再使用を禁止するために、本実施形態においては、イグナイタ４３（図２参照）によるスパーク制御を禁止し、併せて、ガス電磁弁３６、及びソレノイド弁９２（図１参照）を制御してガス流路２１を閉塞状態とし、ガスの供給を停止する。このことによってインターロック機能を実現している。図４に示すように、まず、ユーザによって操作ボタン５４（図１参照）が押下され、点火操作がなされると（Ｓ１０：ＹＥＳ）、これと同時に水圧スイッチ５０がＯＮされる。これをＣＰＵ７１（図１参照）が検知し、マグネット保持電流を通流させて励磁させ、ガス電磁弁３６を開放状態に保持する。また、水圧スイッチ５０に続いて水圧スイッチ５１がオンされると、これをＣＰＵ７１が検知し、イグナイタ４３を駆動させて点火電極４４を連続スパークさせ、メインバーナ１４及びセンシングバーナ５３を点火する（Ｓ１１）。
【００２０】
ここで、室内の換気が不十分な状態となった場合や、熱交換器１２（図１参照）のフィン１２ｂ（図１参照）にススや異物が詰まった状態となった場合、燃焼用空気が取り込みにくくなり、不完全燃焼につながる虞がある。そこで、フレームロッド４５（図１参照）、一次熱電対５８（図１参照）、及び二次熱電対６０（図１参照）の検知結果を監視し、不完全燃焼となっている可能性があると判断した場合には、ガス電磁弁３６（図１参照）及びソレノイド弁９２（図１参照）によりガス流路を閉塞する。
【００２１】
具体的には、以下の処理を実行する。メインバーナ１４及びセンシングバーナ５３の点火の後、フレームロッド４５（図２参照）がメインバーナ１４（図１参照）の炎を検知したか否かを判断する（Ｓ１３）。所定時間継続してメインバーナ１４の炎を検知した場合（Ｓ１３：ＹＥＳ、Ｓ１５：ＹＥＳ）、メインバーナ１４が安定して点火状態となったと判断する。これとは逆に、フレームロッド４５（図２参照）がメインバーナ１４（図１参照）の炎を検知できなかった場合や（Ｓ１３：ＮＯ）、瞬間的に炎を検知した場合であっても、継続して所定時間メインバーナ１４の点火状態を検知できなかった場合（Ｓ１３：ＹＥＳ、Ｓ１５：ＮＯ、Ｓ１３：ＮＯ）、室内が酸欠状態となっている可能性があると判断する。そして、ガス漏れ防止のためにガスの供給を停止させる処理を行うため、Ｓ２５に移行する。
【００２２】
フレームロッド４５（図２参照）がメインバーナ１４（図１参照）の安定した点火状態を検知した場合（Ｓ１５：ＹＥＳ）、次に、一次熱電対５８（図１参照）の起電力（Ｖ１）が１．５ｍＶ以上であるかどうかを判断する（Ｓ１７）。１．５ｍＶ以上であった場合（Ｓ１７：ＹＥＳ）、メインバーナ１４（図１参照）の立ち消え又は酸欠は生じていないものとみなす。そして次に、二次熱電対６０（図１参照）の起電力（Ｖ２）が１５ｍＶ未満であるかどうかを判断する（Ｓ１９）。１５ｍＶ未満であった場合（Ｓ１９：ＹＥＳ）、フィン１２ｂ（図１参照）の目詰まりは生じていないものとみなす。そして再度フレームロッド４５（図２参照）がメインバーナ１４（図１参照）の炎を検知できているかを判断し（Ｓ２１）、炎を検知できている場合（Ｓ２１：ＹＥＳ）、次に、水圧スイッチ５０及び水圧スイッチ５１（図１参照）がＯＦＦとなっているかどうかを判断する（Ｓ２３）。双方のスイッチがＯＦＦとなっていた場合、操作ボタン５４（図１参照）がユーザにより再押下され、消火操作がなされたものとみなす（Ｓ２３：ＹＥＳ）。そして、ＥＥＰＲＯＭ７４（図２参照）に記憶されている不完全燃焼回数に「０」を記憶し（Ｓ２４）、マグネット保持電流の通電を停止させてガス電磁弁３６（図１参照）を閉塞状態として（Ｓ３１）、一連の点火処理を終了する。一方、水圧スイッチ５０及び水圧スイッチ５１（図１参照）がＯＦＦとなっていない場合、消火操作はなされていないものとみなして（Ｓ２３：ＮＯ）、継続して一次熱電対５８、二次熱電対６０、及びフレームロッド４５の監視を実行する。（Ｓ１７、Ｓ１９、Ｓ２１）。
【００２３】
ここで、Ｖ１が１．５ｍＶ未満であった場合（Ｓ１７：ＮＯ）、Ｖ２が１５ｍＶ以上であった場合（Ｓ１９：ＮＯ）、及び、フレームロッド４５（図２参照）が炎を検知できなかった場合（Ｓ２１：ＮＯ）、メインバーナ１４（図１参照）の立ち消え又は酸欠、及びフィン１２ｂ（図１参照）の目詰まりが発生し、不完全燃焼発生の虞があるとみなして、Ｓ２５に移行する。
【００２４】
Ｓ２５では、ＥＥＰＲＯＭ７４（図２参照）に記憶されている不完全燃焼回数に「１」加算して更新し、記憶する。次に、確実に不完全燃焼が発生してしまっていることを確認するために、更新した不完全燃焼回数が３回以上となったかどうかを判断する（Ｓ２７）。ここで、不完全燃焼回数が３回未満の場合（Ｓ２７：ＮＯ）、インターロック状態には移行せず、マグネット保持電流の通電を停止させてガス電磁弁３６（図１参照）を閉塞し（Ｓ３１）、出湯を停止して一連の点火処理を終了する。なおこの状態では、湯沸器は再使用が可能な状態となっているため、再度操作ボタン５４（図１参照）が押下された場合には通常通り出湯が開始される。
【００２５】
一方、不完全燃焼発生回数が３回以上となった場合には（Ｓ２７：ＹＥＳ）、不完全燃焼が確実に生じているものと判断し、湯沸器を再使用不可能なインターロック状態とする。具体的には、ソレノイド弁駆動回路９１（図２参照）を制御してコイル４７（図１参照）に電流を通電させ、プランジャ４６（図１参照）をガス流路が閉塞される状態に駆動させる（Ｓ２９）。そしてこの状態でマグネット保持電流の通電を停止させてガス電磁弁３６（図１参照）を駆動させ、ガス流路を閉塞し（Ｓ３１）、出湯を停止して一連の処理を終了する。
【００２６】
なお、不完全燃焼につながる要因を解消した後は、ガス電磁弁３６によるガス流路の閉塞状態を解除してイグナイタ４３による点火を許可し、プランジャ開放ツマミ４８を操作してガス流路２１を開放状態とすることにより、湯沸器を再使用可能な状態とすることができるようになっている。
【００２７】
以上説明したように、本実施の形態の湯沸器１では、ソレノイド弁９２をガス流路２１に設け、インターロック時においてプランジャ４６を閉塞状態とするように制御することにより、湯沸器１を再使用不可能とするインターロック機能を実現している。インターロック状態においては、ソレノイド弁９２を閉塞状態とすることにより、操作ボタン５４を継続して押下させた場合でもガスが湯沸器内に流入してしまうことがなくなるため、より安全に湯沸器をインターロック状態とすることが可能となる。また、ガス流路２１を閉塞状態としたソレノイド弁９２のプランジャ４６は、プランジャ開放ツマミ４８の手動操作によってのみ元の状態に戻すことが可能な構成となっており、制御基板６２のＣＰＵ７１（図２参照）からの制御によっては元の開放状態に戻すことはできないようになっている。そのため、湯沸器の駆動電源である電池７６の一時的な取り外し等によるインターロック状態の解除が不可能となり、確実にインターロック状態を継続可能となっている。さらに、インターロック状態を解除させるためには、プランジャ開放ツマミ４８を手動にて操作し、プランジャ４６を開放状態にする。このことにより、ガス流路は開放された状態となり、操作ボタン５４（図１参照）の押下により出湯が再開可能となっている。そのため、不完全燃焼発生の要因の解消後は、湯沸器１を再利用できるようになっている。
【００２８】
なお、図１に示す湯沸器１の概略構成図におけるメインバーナ１４が、本発明の「ガスバーナ」に相当し、電池７６が、本発明の「電流供給手段」に相当し、プランジャ開放ツマミ４８が、本発明の「解除手段」に相当する。また、図４に示す点火操作時の処理のフローチャートにおけるＳ１３、Ｓ１７，Ｓ１９、及びＳ２１において、フレームロッド４５、一次熱電対５８及び二次熱電対６０から出力される電圧を監視する処理を行うＣＰＵ７１が、本発明の「監視手段」に相当し、Ｓ２９において、ソレノイド弁駆動回路９１のトランジスタ９３を制御し、コイル４７への電流供給を制御する処理を行うＣＰＵ７１が、本発明の「電流制御手段」に相当する。
【００２９】
なお、本発明は、上記実施形態に限定されるものではなく、種々の変更が可能であることは言うまでもない。上記実施形態においては、一次熱電対５８の起電力が１．５ｍＶ以上であるか、二次熱電対６０の起電力が１５ｍＶ以下である場合に、不完全燃焼発生の可能性があるとみなしていたが、これらの値に限定されるものではなく、他の値により不完全燃焼の可能性を判断してもかまわない。また、上記実施形態においては、プランジャ開放ツマミを設け、手動によりプランジャを駆動させることによりインターロック状態を解除可能としたが、これに限定されるものではない。従って、他の機械的、及び電気的構成によりプランジャを駆動させ、インターロック状態を解除可能としてもかまわない。また、上記実施形態においては、ソレノイド弁と電磁弁との両方を制御してインターロック機能を実現しているが、これに限定されるものではなく、ソレノイド弁のみを制御してインターロック機能を実現することとしてもよい。
【図面の簡単な説明】
【００３０】
【図１】湯沸器１の概略構成図である。
【図２】湯沸器が備える制御基板６２の電気的構成を示すブロック図である。
【図３】制御基板６２が備えるソレノイド弁駆動回路９１の電気的構成を示すブロック図である。
【図４】ＣＰＵ７１によるソレノイド弁の駆動制御処理である。
【符号の説明】
【００３１】
１    湯沸器
１４    メインバーナ
２１    ガス流路
３６    ガス電磁弁
３７    マグネット開弁機構
４３    イグナイタ
４４    点火電極
４５    フレームロッド
４６    プランジャ
４７    コイル
４８    プランジャ開放ツマミ
５４    操作ボタン
５８    一次熱電対
６０    二次熱電対
６２    制御基板
７０    熱電対
７６    電池
７８    熱電対回路
７９    イグナイタ回路
８０    マグネット駆動回路
８１    安全回路
８２    フレームロッド回路
９１    ソレノイド弁駆動回路
９２    ソレノイド弁
９３    トランジスタ
【図１】
2009150571.tif 000003
【図２】
2009150571.tif 000004
【図３】
2009150571.tif 000005
【図４】
2009150571.tif 000006